(57)【要約】【課題】家人に対して火災発生を検知した場所を知らせて火災発生を検知した場所を考慮した迅速な対応をさせる。【解決手段】火災警報器３ａが火災発生を検知した場合、自己のＩＤ情報を含む検知信号を送信する。各火災警報器３（３ａ，３ｂ）及びドアホン子器２との間で通信を行うインターホン親機１は、検知信号に含まれているＩＤ情報に対応付けられた場所情報データを他の音声データとともに抽出し、抽出した音声データを再生して火災警報器３ａの設置場所を音声出力し、さらに音声データごとに生成した音声メッセージ信号を全ての火災警報器３に送信する。各火災警報器３は、各音声メッセージ信号に含まれている音声データを抽出する。火災発生を検知していない火災警報器３ｂは、全ての音声データを再生して火災警報器３ａの設置場所を音声出力する。一方、火災警報器３ａは、場所情報データ以外の音声データのみを再生する。【選択図】図１
2009054053.tif 000002
【特許請求の範囲】
【請求項１】
複数の火災警報器と、住戸外に設置されるドアホン子器と、前記複数の火災警報器及び前記ドアホン子器との間で通信を行うインターホン親機とを備えるインターホンシステムであって、
前記インターホン親機は、
前記火災警報器ごとに割り当てられたＩＤ情報と、当該火災警報器の設置場所を音声データで表わした場所情報データとを対応付けて記憶する記憶部と、
前記複数の火災警報器から当該火災警報器ごとに割り当てられたＩＤ情報を受信する受信部と、
前記受信部で受信されたＩＤ情報に対応する場所情報データを前記記憶部から抽出する制御部と、
前記制御部で抽出された場所情報データを再生して前記火災発生を検知した火災警報器の設置場所を音声出力する音声出力部と、
前記制御部で抽出された場所情報データを前記複数の火災警報器に出力する送信部と
を備え、
前記各火災警報器は、
火災発生を検知する火災検知部と、
前記火災検知部で火災発生が検知されると自己に割り当てられたＩＤ情報を前記インターホン親機に送信する警報器側送信部と、
前記インターホン親機から前記場所情報データを受信する警報器側受信部と、
前記警報器側受信部で受信された場所情報データを再生又は増幅して前記火災発生を検知した火災警報器の設置場所を音声出力する警報器側音声出力部と
を備える
ことを特徴とするインターホンシステム。
【請求項２】
請求項１記載のインターホンシステムに用いるインターホン親機。
【発明の詳細な説明】
【技術分野】
【０００１】
本発明は、複数の火災警報器とインターホン親機が連動して音声出力するインターホンシステム及びそれに用いるインターホン親機に関するものである。
【背景技術】
【０００２】
センサの検知結果に基づいて警報音を出力する従来のインターホンシステムとして、特許文献１には、ドアホン子器と、ドアホン子器との間で通話を行うセキュリティーハンズフリーホン（インターホン親機）と、セキュリティーハンズフリーホンに接続されるセキュリティセンサー（例えば火災感知器など）とを備えるものが開示されている。特許文献１のインターホンシステムは、セキュリティーハンズフリーホンがセキュリティーセンサーから異常信号を受信すると警報音を出力するものである。これにより、セキュリティーセンサーで検知した異常をセキュリティーハンズフリーホンの携帯者や他の家人に知らせることができる。
【０００３】
ところで、特許文献１のインターホンシステムは、１台のセキュリティーセンサーのみがセキュリティーハンズフリーホンに接続されている構成であるが、図７に示すように、ドアホン子器２との間で通信を行うインターホン親機４に複数の火災警報器５，５，５が接続されているインターホンシステムについても、種々市販又は開発されている。
【０００４】
図７に示すインターホンシステムでは、何れかの火災警報器５が火災発生を検知すると、火災発生を検知した火災警報器５は、自ら警報音を出力するとともに、火災発生を検知した旨を知らせるための検知信号をインターホン親機４及び他の火災警報器５，５に送信する。インターホン親機４及び他の火災警報器５，５のそれぞれは、検知信号を受信すると警報音を出力する。上記より、図７に示すインターホンシステムでは、何れかの火災警報器５が火災発生を検知したときに、複数の火災警報器５とインターホン親機４が連動して警報音を出力することができ、火災発生を検知した旨を家人に知らせることができる。
【特許文献１】特開平０８−０７０３６１号公報（段落００１７，００１８及び図１）
【発明の開示】
【発明が解決しようとする課題】
【０００５】
しかしながら、従来のインターホンシステムは、図７に示すように何れかの火災警報器５が火災発生を検知したときに、複数の火災警報器５，５，５とインターホン親機４が連動して警報音を出力するものの、どの場所に設置された火災警報器５が火災発生を検知したのかを家人に知らせることができなかった。このため、家人は火災発生を知ったとしても、火災発生を検知した火災警報器５の設置場所がわからないため、例えば火災発生場所の方向に避難してしまう可能性があり、火災発生に対して迅速な対応を行えない場合が起こりうる。
【０００６】
本発明は上記の点に鑑みて為されたものであり、その目的は、家人に対して火災発生を検知した場所を知らせることができ火災発生を検知した場所を考慮した迅速な対応をさせることができるインターホンシステム及びそれに用いるインターホン親機を提供することにある。
【課題を解決するための手段】
【０００７】
請求項１に係るインターホンシステムの発明は、複数の火災警報器と、住戸外に設置されるドアホン子器と、前記複数の火災警報器及び前記ドアホン子器との間で通信を行うインターホン親機とを備えるインターホンシステムであって、前記インターホン親機は、前記火災警報器ごとに割り当てられたＩＤ情報と、当該火災警報器の設置場所を音声データで表わした場所情報データとを対応付けて記憶する記憶部と、前記複数の火災警報器から当該火災警報器ごとに割り当てられたＩＤ情報を受信する受信部と、前記受信部で受信されたＩＤ情報に対応する場所情報データを前記記憶部から抽出する制御部と、前記制御部で抽出された場所情報データを再生して前記火災発生を検知した火災警報器の設置場所を音声出力する音声出力部と、前記制御部で抽出された場所情報データを前記複数の火災警報器に出力する送信部とを備え、前記各火災警報器は、火災発生を検知する火災検知部と、前記火災検知部で火災発生が検知されると自己に割り当てられたＩＤ情報を前記インターホン親機に送信する警報器側送信部と、前記インターホン親機から前記場所情報データを受信する警報器側受信部と、前記警報器側受信部で受信された場所情報データを再生又は増幅して前記火災発生を検知した火災警報器の設置場所を音声出力する警報器側音声出力部とを備えることを特徴とする。
【０００８】
請求項２に係るインターホン親機の発明は、請求項１記載のインターホンシステムに用いる。
【発明の効果】
【０００９】
請求項１の発明によれば、何れかの火災警報器が火災発生を検知したときに、火災警報器及びインターホン親機が火災発生を検知した火災警報器の設置場所を音声出力することができるので、火災発生を検知した場所を家人に知らせることができ、家人に対して火災発生を検知した場所を考慮した迅速な対応をさせることができる。また、インターホン親機の記憶部（メモリ）を用いてＩＤ情報と音声データとを対応付けているので、インターホン親機にさまざまな言葉を登録することで、多様な場所メッセージを火災警報器から出力させることができる。
【００１０】
請求項２の発明によれば、何れかの火災警報器が火災発生を検知したときに、火災発生を検知した火災警報器の設置場所を音声出力するとともに、火災警報器に対して火災発生を検知した火災警報器の設置場所を音声出力させるように音声メッセージ信号を送信することができるので、火災発生を検知した場所を家人に知らせることができ、家人に対して火災発生を検知した場所を考慮した迅速な対応をさせることができる。
【発明を実施するための最良の形態】
【００１１】
まず、本実施形態のインターホンシステムの構成について図１〜５を用いて説明する。このインターホンシステムは、図１に示すように、住戸内に設置されたインターホン親機１と、住戸外に設置されインターホン親機１との間で通信を行うドアホン子器２と、それぞれが住戸内に設置されてインターホン親機１との間で通信を行う複数（図１では３台）の火災警報器３，３，３とを備えている。ここで、ドアホン子器２は２線式の通話線及び２線式の制御線からなる２対の通信線Ｌ１によってインターホン親機１と接続されている。複数の火災警報器３，３，３は２線式の信号線Ｌｓによってインターホン親機１にマルチドロップ接続されている。
【００１２】
ドアホン子器２は、来訪者が呼出釦２０を押操作したときに呼出信号をインターホン親機１に送信し、カメラ部２１によって来訪者を撮像し、撮像映像の映像信号をインターホン親機１に送信する。
【００１３】
続いて、各火災警報器３について図２を用いて説明する。各火災警報器３は、例えば住戸内のリビングや寝室などに設置される住宅用火災警報器であり、火災発生による熱又は煙の何れかを検知する火災検知部３０と、火災警報器３ごとに割り当てられたＩＤ情報を記憶する記憶部３１と、火災検知部３０で火災発生が検知されると記憶部３１に記憶されているＩＤ情報をインターホン親機１（図１参照）に送信する送受信部（警報器側送信部）３２と、火災検知部３０で火災発生が検知されたことを表示する表示部３３と、インターホン親機１から後述の場所情報データを受信する音声メッセージ信号受信部（警報器側受信部）３４と、音声メッセージ信号受信部３４で受信された場所情報データを再生又は増幅して火災発生を検知した火災警報器３の設置場所を音声出力する音声出力部（警報器側音声出力部）３５と、機器全体を制御する制御部３６とを備えている。また、複数の火災警報器３，３，３のうち最も外側に接続されている火災警報器３ａ（図１参照）は、例えば交流１００Ｖの商用電源（図示せず）より自己又は他の火災警報器３ｂの動作電源を生成する電源部（図示せず）を備える。
【００１４】
記憶部３１に記憶されているＩＤ情報は、火災警報器３ごとに異なり、設定部３７によって予め設定されたものである。
【００１５】
送受信部３２は、信号線Ｌｓに方形波のパルス電圧を印加することによって、制御部３６の制御によって、後述の検知信号及び復帰信号を他の火災警報器３及びインターホン親機１に送信する一方、信号線Ｌｓに印加されたパルス電圧を検出することで、他の火災警報器３から検知信号及び復帰信号を受信し、インターホン親機１から後述の警報停止信号を受信する。
【００１６】
表示部３３は、例えば発光ダイオードなどの表示素子であり、火災検知部３０で火災発生が検知されたときに点滅することによって、火災検知部３０で火災発生が検知されたことを表示する。
【００１７】
音声メッセージ信号受信部３４は、インターホン親機１から後述の音声メッセージ信号を受信し、受信した音声メッセージ信号から音声データ（擬音データ、場所情報データ及び通常メッセージデータ）を抽出し（図３参照）、抽出した音声データを音声データ制御部３８に出力する。
【００１８】
音声データ制御部３８は、制御部３６の制御によって、音声メッセージ信号受信部３４からの音声データを増幅する。増幅された音声データは音声データ制御部３８から音声出力部３５に一定の時間間隔で出力される。
【００１９】
音声出力部３５は、例えばスピーカなどであり、音声データ制御部３８で増幅された音声データを再生して警報音「ピーポーピーポー」と音声メッセージ「○○（設置場所）で火事です」（図１では「リビングで火事です」）又は「火事です」を連続して出力する。なお、音声出力部３５からの出力は、音声メッセージ「○○（設置場所）で火事です」のみであってもよい。
【００２０】
制御部３６は、火災検知部３０で火災発生が検知されると、表示部３３を点滅させるとともに、記憶部３１からＩＤ情報を抽出し、抽出したＩＤ情報を含む検知信号を送受信部３２から他の火災警報器３及びインターホン親機１に送信させる。
【００２１】
また、制御部３６は、送受信部３２で受信された他の火災警報器３からの検知信号が入力された後に、音声メッセージ信号受信部３４から音声データ制御部３８に音声データが出力されると、上記音声データの全て（擬音データ、場所情報データ及び通常メッセージデータ）を増幅させるように音声データ制御部３８を制御する。一方、火災検知部３０で火災発生が検知された後に、音声メッセージ信号受信部３４から音声データ制御部３８に音声データが出力されると、上記音声データのうち擬音データ及び通常メッセージデータのみを増幅させ、場所情報データを音声出力部３５で再生されないように音声データ制御部３８を制御する。
【００２２】
さらに、制御部３６は、送受信部３２でインターホン親機１からの警報停止信号が受信されると、音声データ制御部３８を制御して音声出力部３５への音声データの出力を停止させる。
【００２３】
なお、火災発生を検知した火災警報器３において、火災が消火されてから予め設定された時間が経過すると、制御部３６は表示部３３を消灯させ、音声データ制御部３８を制御して音声出力部３５への音声データの出力を停止させる。つまり、表示部３３による火災発生検知の表示及び音声出力部３５による音声出力が停止し、通常状態（火災発生前の状態）に戻る。また、制御部３６は、送受信部３２から他の火災警報器３及びインターホン親機１に復帰信号を送信させる。
【００２４】
他の火災警報器３では、火災発生を検知した火災警報器３から復帰信号を受信すると、火災発生を検知した火災警報器３と同様に、制御部３６が表示部３３を消灯させ、音声データ制御部３８を制御して音声出力部３５への音声データの出力を停止させる。他の火災警報器３においても、表示部３３による火災発生検知の表示及び音声出力部３５による音声出力が停止し、通常状態に戻る。
【００２５】
続いて、インターホン親機１の構成について図４を用いて説明する。インターホン親機１は、複数の火災警報器３，３，３（図１参照）のそれぞれとの間で信号の送受信を行う送受信部１０と、各火災警報器３のＩＤ情報と後述の場所情報データとを対応付けて記憶する記憶部１１と、家人がＩＤ情報及び場所情報データを記憶部１１に登録するための操作部１２と、送受信部１０で受信された検知信号に含まれているＩＤ情報に対応する場所情報データを記憶部１１から抽出する制御部１３と、送受信部１０で検知信号が受信されたときに火災発生を知らせるためのピクトマーク１４０（図１参照）を表示する表示部１４と、制御部１３で抽出された場所情報データを含む音声データを再生して火災発生を検知した火災警報器３の設置場所を音声出力する音声出力部１５と、制御部１３で抽出された場所情報データを含む音声メッセージ信号を複数の火災警報器３，３，３に出力する音声メッセージ信号出力部１６とを備えている。
【００２６】
送受信部１０は、信号線Ｌｓに印加された方形波のパルス電圧を検出することで、各火災警報器３から検知信号及び復帰信号を受信する一方、信号線Ｌｓにパルス電圧を印加することによって、警報停止信号を各火災警報器３に送信する。
【００２７】
記憶部１１には、火災警報器３（図１参照）ごとに割り当てられたＩＤ情報と、上記火災警報器３の設置場所を音声データで表わした場所情報データとが対応付けて記憶されている。例えばリビングに設置された火災警報器３のＩＤ情報に対応付けられている場所情報データは、「リビングで」というメッセージの音声データであり、寝室に設置された火災警報器３のＩＤ情報に対応付けられている場所情報データは、「寝室で」というメッセージの音声データである。ここで、音声データとは、五十音の各音節（「あ」〜「ん」のそれぞれの音）の組み合わせを信号化したものをいう。
【００２８】
また、記憶部１１には、例えば「ピーポーピーポー」という警報音を音声データで表わした擬音データや、「火事です」というメッセージを音声データで表わした通常メッセージデータも記憶されている。
【００２９】
操作部１２は、ＩＤ情報及び場所情報データを登録するときに操作されるだけでなく、インターホン親機１及び各火災警報器３の出力を停止させたい場合にも家人によって操作される。
【００３０】
制御部１３はマイクロコンピュータを主構成要素とし、ドアホン子器２（図１参照）から呼出信号を受信すると、音声データ制御部１７を制御して音声出力部１５から呼出音を出力させるとともに、ドアホン子器２から受信した映像信号を復調して来訪者の映像を表示部１４に表示させる。そして、家人による操作部１２への操作によって、制御部１３は、インターホン親機１とドアホン子器２の間での通信を開始する。
【００３１】
また、制御部１３は、送受信部１０で検知信号が受信されると、表示部１４に火災発生を知らせるためのピクトマーク１４０（図１参照）を表示させるとともに、検知信号に含まれているＩＤ情報と対応付けられている場所情報データを擬音データ及び通常メッセージデータとともに記憶部１１から抽出し、抽出した擬音データ、場所情報データ及び通常メッセージデータを音声メッセージ制御部１８に出力する。
【００３２】
音声メッセージ制御部１８は、擬音データ、場所情報データ及び通常メッセージデータごとに音声メッセージ信号を生成する。音声メッセージ制御部１８で生成された３つの音声メッセージ信号は、音声データ制御部１７を介して音声メッセージ信号出力部１６に出力される。また、擬音データ、場所情報データ及び通常メッセージデータも音声データ制御部１７に出力される。
【００３３】
制御部１３は、音声データ制御部１７を制御して音声メッセージ制御部１８から音声データ制御部１７に出力された擬音データ、場所情報データ及び通常メッセージデータを増幅して音声出力部１５に出力させる。
【００３４】
一方、送受信部１０で復帰信号が受信されると、制御部１３は、表示部１４を初期状態（火災発生前の状態）にさせるとともに、音声データ制御部１７を制御して音声出力部１５への音声データの出力を停止させる。
【００３５】
表示部１４は、例えば液晶ディスプレイ（ＬＣＤ）などであり、火災発生を知らせるためのピクトマーク１４０（図１参照）や、制御部１３で復調された映像信号に基づく映像（図示せず）を表示する。
【００３６】
音声出力部１５は、例えばスピーカなどであり、音声データ制御部１７で増幅された擬音データ、場所情報データ及び通常メッセージデータを順に再生して警報音「ピーポーピーポー」と音声メッセージ「○○（設置場所）で火事です」（図１では「リビングで火事です」）を連続して出力する。なお、音声出力部１５からの出力は、場所情報データ及び通常メッセージデータのみを再生して音声メッセージ「○○（設置場所）で火事です」であってもよい。
【００３７】
音声メッセージ信号出力部１６は、制御部１３の制御によって、音声メッセージ制御部１８からの３つの音声メッセージ信号を全ての火災警報器３，３，３（図１参照）に出力する。
【００３８】
ところで、上記構成のインターホンシステムにおいて、検知信号や警報停止信号、復帰信号は、インターホン親機１又は各火災警報器３から信号線Ｌｓに方形波のパルス電圧が印加されることによって送信される。また、音声メッセージ信号は、方形波のパルス電圧とアナログ波形の音声データとの組み合わせによってインターホン親機１から送信される。インターホン親機１、ドアホン子器２及び各火災警報器３のそれぞれには、個別のＩＤが予め設定されている。このようにすると、各信号に送信元アドレスとしてＩＤ情報が付与されるため、受信側が送信元を特定することができる。
【００３９】
これらの信号の信号フォーマットは、図５に示すように、同期をとるための同期信号と、送信元ＩＤが含まれているアドレス（ＩＤ）と、検知信号、警報停止信号、復帰信号又は音声メッセージ信号の何れかであることを識別するためのコマンドとで構成される。コマンドに含まれるパルス電圧は、例えば、Ｌ，Ｈ，Ｌのときが検知信号、Ｈ，Ｌ，Ｈのときが警報停止信号、Ｈ，Ｈ，Ｈのときが復帰信号、Ｈ，Ｈ，Ｌのときが音声メッセージ信号としている。音声メッセージ信号のコマンドは、パルス電圧Ｈ，Ｈ，Ｌの後に、音声データ（擬音データ、場所情報データ、通常メッセージデータ）が含まれている。
【００４０】
次に、本実施形態のインターホンシステムにおいて、インターホン親機１とドアホン子器２の間での動作について図１，４を用いて説明する。まず、図１に示すドアホン子器２の呼出釦２０を来訪者が押操作すると、ドアホン子器２はインターホン親機１に呼出信号を送信する。これとは別に、カメラ部２１が起動し、カメラ部２１で撮像された来訪者の映像の映像信号もインターホン親機１に送信する。
【００４１】
その後、図４に示すインターホン親機１では、制御部１３が呼出信号を受信し、音声データ制御部１７を制御して音声出力部１５から呼出音を出力させるとともに、ドアホン子器２からの映像信号を復調して来訪者の映像を表示部１４に表示させる。そして、家人が操作部１２を操作すると、制御部１３はインターホン親機１とドアホン子器２の間での通話を許可する。
【００４２】
次に、本実施形態のインターホンシステムにおいて、何れかの火災警報器３が火災発生を検知した場合の動作について図２，４，６を用いて説明する。火災警報器３ａ（図１参照）の火災検知部３０が火災発生を検知した場合（図６のＳ１）、図２に示す制御部３６は、表示部３３を点滅させるとともに、記憶部３１に記憶されているＩＤ情報を含む検知信号を送受信部３２から他の火災警報器３ｂ（図１参照）及びインターホン親機１に送信させる（Ｓ２）。
【００４３】
その後、図４に示すインターホン親機１では、火災警報器３ａからの検知信号を送受信部１０が受信すると（Ｓ３）、制御部１３が、表示部１４に火災発生を知らせるためのピクトマーク１４０（図１参照）を表示させるとともに、検知信号に含まれているＩＤ情報に対応付けられた場所情報データを擬音データ及び通常メッセージデータとともに記憶部１１から抽出し、音声メッセージ制御部１８に出力する（Ｓ４）。音声メッセージ制御部１８では、擬音データ、場所情報データ及び通常メッセージデータごとに音声メッセージ信号を生成し、生成した音声メッセージ信号を音声データ制御部１７を介して音声メッセージ信号出力部１６に出力するとともに、擬音データ、場所情報データ、通常メッセージデータも音声データ制御部１７に出力する。音声出力部１５は、音声データ制御部１７からの擬音データ、場所情報データ及び通常メッセージデータを再生して火災警報器３ａの設置場所を音声出力する。音声メッセージ信号出力部１６は、制御部１３の制御によって、３つの音声メッセージ信号を全ての火災警報器３，３，３に送信する（Ｓ５）。
【００４４】
その後、図２に示す各火災警報器３ａ，３ｂでは、音声メッセージ信号受信部３４が音声メッセージ信号を受信すると、各音声メッセージ信号に含まれている音声データ（擬音データ、場所情報データ、通常メッセージデータ）を抽出し、抽出した音声データを音声データ制御部３８に出力する。火災発生を検知していない火災警報器３ｂでは（Ｓ６）、音声データ制御部３８が、制御部３６の制御によって、全ての音声データを増幅して音声出力部３５に出力し、音声出力部３５は音声データを順に再生する（Ｓ８）。
【００４５】
これに対して、火災発生を検知した火災警報器３ａでは、音声データ制御部３８が、制御部３６の制御によって、擬音データ及び通常メッセージデータのみを増幅して音声出力部３５に出力する。このとき、場所情報データは音声出力部３５に出力されない。音声出力部３５は擬音データ及び通常メッセージデータを再生する（Ｓ７）。
【００４６】
以上、本実施形態によれば、図１に示すように、何れかの火災警報器３ａが火災発生を検知したときに、火災警報器３ｂ及びインターホン親機１が火災発生を検知した火災警報器３ａの設置場所を音声出力することができるので、火災発生を検知した場所を家人に知らせることができ、家人に対して火災発生を検知した場所を考慮した迅速な対応をさせることができる。
【００４７】
また、火災警報器の設置場所ごとに異なる警報音を出力する場合、家人による警報音の聞き間違いが生じやすいが、本実施形態では、火災発生を検知した火災警報器３の設置場所を音声出力することによって、上記のように異なる警報音を出力する場合に比べて、家人による聞き間違いが少なくなる。
【００４８】
なお、本実施形態の変形例として、火災発生を検知した火災警報器３ａにおいても、自己の設置場所を音声出力してもよい。つまり、火災警報器３ａが他の火災警報器３ｂと同様に警報音「ピーポーピーポー」に続いて音声メッセージ「○○（設置場所）で火事です」を出力してもよい。
【図面の簡単な説明】
【００４９】
【図１】実施形態に係るインターホンシステムの構成図である。
【図２】同上に係る火災警報器のブロック図である。
【図３】同上に係るインターホンシステムにおける音声データを示す図である。
【図４】同上に係るインターホン親機のブロック図である。
【図５】同上に係る火災警報器とインターホン親機の間で送受信される信号の信号フォーマットを示す図である。
【図６】同上に係るインターホンシステムの動作を示すフローチャートである。
【図７】従来のインターホンシステムの構成図である。
【符号の説明】
【００５０】
１  インターホン親機
１０  送受信部
１１  記憶部
１３  制御部
１５  音声出力部
１６  音声メッセージ信号出力部
２  ドアホン子器
３（３ａ，３ｂ）  火災警報器
３０  火災検知部
３２  送受信部
３４  音声メッセージ信号受信部
３５  音声出力部
【図１】
2009054053.tif 000003
【図２】
2009054053.tif 000004
【図３】
2009054053.tif 000005
【図４】
2009054053.tif 000006
【図５】
2009054053.tif 000007
【図６】
2009054053.tif 000008
【図７】
2009054053.tif 000009